(57)【要約】【課題】重低音領域の音声出力性能を向上させることができ、向上された重低音領域の音声出力性能を十分に発揮して豊かで迫力のある重低音領域の音声出力をすることができる音響装置の提供。【解決手段】音響装置は、エンクロージャ、及び音声処理ユニット３１を備える。エンクロージャは、容積を拡大、縮小することができ、容積の拡大、縮小を検出する押込みスイッチ６５を備える。音響処理ユニット３１は、スイッチ状態検出回路３２と、音声処理回路３３と、制御装置３４とを備える。スイッチ状態検出回路３２は、押込みスイッチ６５の状態を検出する。音声処理回路３３は、入力される音声情報に対して音質調整を行い、スピーカ６１に音質調整された音声情報を出力する。制御装置３４は、押込みスイッチ６５のオン、オフの各状態の切り替えが検出されたときに、検出結果に応じて音質調整の設定を変更する。【選択図】図５
2008109460.tif 000002
【特許請求の範囲】
【請求項１】
入力される音声情報に対して音質調整を行う音質調整手段と、当該音質調整手段により音質調整された音声情報を音声に変換して出力するスピーカと、当該スピーカが収納されるエンクロージャとを備える音響装置であって、
前記エンクロージャの容積を拡大する容積拡大手段と、
前記容積拡大手段によりエンクロージャの容積が拡大されたことを検出する容積拡大検出手段とを備え、
前記音質調整手段は、前記容積拡大検出手段により前記エンクロージャの容積が拡大されたことを検出したときに、拡大された前記エンクロージャの容積に応じて音質調整の設定を変更することを特徴とする音響装置。
【請求項２】
請求項１に記載の音響装置において、
前記エンクロージャは、前記スピーカが前面部に取り付けられ、背面が開口される箱状に形成され、
前記容積拡大手段は、前記エンクロージャの前面部に対向する背面部を有し、前面が開口される箱状体から構成され、
前記箱状体は、前記エンクロージャに、当該エンクロージャの前面部に対して接近離間方向に摺動自在に収納されることを特徴とする音響装置。
【請求項３】
請求項１に記載の音響装置において、
前記エンクロージャは、底面部に開口を有する箱状に形成され、
前記容積拡大手段は、内部に空洞を有する箱状に形成され、前記エンクロージャの底面部を支持する支持筐体から構成され、
前記支持筐体は、当該支持筐体により前記エンクロージャを支持させたときに、当該エンクロージャに形成された開口と対応する位置に形成され、当該エンクロージャ内の空洞と、当該支持筐体内の空洞とを連通させる開口部を備えることを特徴とする音響装置。
【請求項４】
請求項１に記載の音響装置において、
前記エンクロージャは、背面部に開口を有する箱状に形成され、
前記容積拡大手段は、
内部に空洞を有し、背面部に開口を有する箱状に形成され、前記エンクロージャの底面部を支持する支持筐体と、
前記エンクロージャと、前記支持筐体の開口同士を連結する連結部材から構成されることを特徴とする音響装置。
【請求項５】
入力される画像情報に応じて画像を形成して表示する画像表示手段と、入力される音声情報に応じて音声を出力する音声出力手段とを備える画像表示装置であって、
前記音声出力手段は、
請求項１から請求項４のいずれかに記載の音響装置であることを特徴とする画像表示装置。
【発明の詳細な説明】
【技術分野】
【０００１】
本発明は、音響装置、及び当該音響装置を備えた画像表示装置に関する。
【背景技術】
【０００２】
従来、液晶テレビジョンやリアプロジェクタなどのテレビジョン受信機が知られている。このようなテレビジョン受信機は、一般的に、テレビジョン放送に重畳される音声情報に応じて音声を出力する音響装置を備えている。
また、近年、設置場所の省スペース化、優れた外観などの利点を有していることから、薄型のテレビジョン受信機が普及しつつある。これにより、テレビジョン受信機の音響装置の筐体についても小型化が図られている。
【０００３】
ここで、例えば、バスレフ型の音響装置は、音声を出力するスピーカと、このスピーカを収納するエンクロージャを備えており、ヘルムホルツの共鳴原理によりエンクロージャの容積が大きいほど重低音領域の音声出力性能を向上させることができる。
このため、音響装置の筐体が小型化されると、エンクロージャの容積が縮小され、重低音領域の音声出力性能が低下するという問題がある。
これに対して、例えば、特許文献１に記載のテレビジョン受信機では、テレビスタンドに空気室を設け、この空気室と、音響装置のエンクロージャとを連結させることにより、エンクロージャの容積を拡大して重低音領域の音声出力性能を向上させている。
【０００４】
【特許文献１】特開平１０−２８２４７号公報
【発明の開示】
【発明が解決しようとする課題】
【０００５】
ところで、このような音響装置には、ＤＳＰ（Digital Signal Processor）などのオーディオプロセッサが内蔵され、例えば、入力される音声情報に対して重低音領域の音声を強調する等の音質調整を行うものが知られている。
しかしながら、特許文献１に記載のテレビジョン受信機では、テレビスタンドの空気室と、音響装置のエンクロージャとを連結させて重低音領域の音声出力性能を向上させた場合、すなわち、音響装置の音響特性が変化した場合であっても、音質調整の設定を変更しないため、エンクロージャの容積を拡大することにより向上された重低音領域の音声出力性能を十分に発揮することができないという問題があった。
【０００６】
本発明の目的は、重低音領域の音声出力性能を向上させることができ、向上された重低音領域の音声出力性能を十分に発揮して豊かで迫力のある重低音領域の音声出力をすることができる音響装置、及び当該音響装置を備えた画像表示装置を提供することにある。
【課題を解決するための手段】
【０００７】
本発明の音響装置は、入力される音声情報に対して音質調整を行う音質調整手段と、当該音質調整手段により音質調整された音声情報を音声に変換して出力するスピーカと、当該スピーカが収納されるエンクロージャとを備える音響装置であって、前記エンクロージャの容積を拡大する容積拡大手段と、前記容積拡大手段によりエンクロージャの容積が拡大されたことを検出する容積拡大検出手段とを備え、前記音質調整手段は、前記容積拡大検出手段により前記エンクロージャの容積が拡大されたことを検出したときに、拡大された前記エンクロージャの容積に応じて音質調整の設定を変更することを特徴とする。
【０００８】
このような構成によれば、音響装置は、容積拡大手段を備えるので、エンクロージャの容積を拡大することができ、重低音領域の音声出力性能を向上させることができる。また、容積拡大検出手段は、エンクロージャの容積が拡大されたことを検出することができ、音質調整手段は、容積拡大検出手段によりエンクロージャの容積が拡大されたことを検出したときに、拡大されたエンクロージャの容積に応じて音質調整の設定を変更するので、向上された重低音領域の音声出力性能を十分に発揮して豊かで迫力のある重低音領域の音声出力をすることができる。
【０００９】
本発明では、前記エンクロージャは、前記スピーカが前面部に取り付けられ、背面が開口される箱状に形成され、前記容積拡大手段は、前記エンクロージャの前面部に対向する背面部を有し、前面が開口される箱状体から構成され、前記箱状体は、前記エンクロージャに、当該エンクロージャの前面部に対して接近離間方向に摺動自在に収納されることを採用することができる。
【００１０】
このような構成によれば、箱状体を、エンクロージャの前面部から遠ざけることによりエンクロージャの容積を拡大することができるので、重低音領域の音声出力性能を向上させることができる。
また、他の筐体などを使用することなくエンクロージャの容積を拡大することができるので、音響装置の構成を簡素化することができる。
【００１１】
本発明では、前記エンクロージャは、底面部に開口を有する箱状に形成され、前記容積拡大手段は、内部に空洞を有する箱状に形成され、前記エンクロージャの底面部を支持する支持筐体から構成され、前記支持筐体は、当該支持筐体により前記エンクロージャを支持させたときに、当該エンクロージャに形成された開口と対応する位置に形成され、当該エンクロージャ内の空洞と、当該支持筐体内の空洞とを連通させる開口部を備えることを採用することができる。
【００１２】
このような構成によれば、エンクロージャを、支持筐体により支持することにより、エンクロージャ内の空洞と、支持筐体内の空洞とを連通させてエンクロージャの容積を拡大することができるので、重低音領域の音声出力性能を向上させることができる。
また、支持筐体によりエンクロージャの容積を拡大しているので、エンクロージャに複雑な構造を設ける必要がなく、さらに、支持筐体は、エンクロージャと別体であるので、例えば、支持筐体のデザインを変更する等、音響装置の設計自由度を高くすることができる。
【００１３】
本発明では、前記エンクロージャは、背面部に開口を有する箱状に形成され、前記容積拡大手段は、内部に空洞を有し、背面部に開口を有する箱状に形成され、前記エンクロージャの底面部を支持する支持筐体と、前記エンクロージャと、前記支持筐体の開口同士を連結する連結部材から構成されることを採用することができる。
【００１４】
このような構成によれば、エンクロージャを、支持筐体により支持し、連結部材によりエンクロージャと、支持筐体の開口同士を連結することにより、エンクロージャ内の空洞と、支持筐体内の空洞とを連通させてエンクロージャの容積を拡大することができるので、重低音領域の音声出力性能を向上させることができる。
また、重低音領域の音声出力性能を向上させる場合にのみ連結部材を使用すればよく、さらに、各開口は、エンクロージャ、及び支持筐体の背面部に形成されているので、音響装置の設置後においてもエンクロージャ、及び支持筐体を動かすことなく簡単に連結部材を取り付けることができる。
【００１５】
本発明の画像表示装置は、入力される画像情報に応じて画像を形成して表示する画像表示手段と、入力される音声情報に応じて音声を出力する音声出力手段とを備える画像表示装置であって、前記音声出力手段は、前述した音響装置であることを特徴とする。
【００１６】
このような構成によれば、前述した音響装置の作用および効果と同様の作用および効果を享受することができる。
すなわち、薄型の画像表示装置であっても重低音領域の音声出力性能を向上させることができ、向上された重低音領域の音声出力性能を十分に発揮して豊かで迫力のある重低音領域の音声出力をすることができるので好適である。
【発明を実施するための最良の形態】
【００１７】
［第１実施形態］
以下、本発明の第１実施形態を図面に基づいて説明する。
〔１．リアプロジェクタの主な構成〕
図１は、本発明に係るリアプロジェクタ１を前方から見た斜視図である。
リアプロジェクタ１は、光源から射出された光を画像情報に応じて変調して光学像を形成し、この光学像をスクリーンに拡大投写するものであり、図１に示すように、筐体を構成するキャビネット２と、キャビネット２内に配置される内部ユニット３と、キャビネット２の前面に露出して設けられるスクリーン５とを備えて構成される。
【００１８】
キャビネット２は、内部ユニット３を収納する合成樹脂製の筐体であり、前面側、上下面側および左右側面側のほとんどを覆う縦断面コ字状の下部キャビネット２１と、背面側および左右側面側の一部を覆うバックカバー２２と、この下部キャビネット２１の上側に配置される縦断面三角形状の上部キャビネット２３とを備えて構成される。
下部キャビネット２１は、前面部２１１を備え、前面部２１１の左右側には、略同寸法の矩形状の開口部２１１Ｒ，２１１Ｌが形成されている。これらの開口部２１１Ｒ，２１１Ｌには、重低音領域の音声を出力するスピーカとして機能するウーハーボックス６（６Ｒ，６Ｌ）がそれぞれ取り付けられている。これらのウーハーボックス６Ｒ，６Ｌは、開口部２１１Ｒ，２１１Ｌに対して前面側からの着脱が可能となっている。なお、ウーハーボックス６Ｒ，６Ｌについては後に詳述する。
【００１９】
内部ユニット３は、詳しくは後述するが、入力された画像情報に応じて所定の光学像を形成し、この光学像をスクリーン５に拡大投写する光学ユニット４（図示省略）と、この画像情報に付加される音声情報の処理を行う音声処理ユニット３１（図示省略）とを備え、音声および映像を出力するものである。
なお、本実施形態では、音響装置は、ウーハーボックス６、及び音声処理ユニット３１により構成されている。
【００２０】
スクリーン５は、図１に示すように、光学ユニット４（図示省略）で拡大投写された光学像を裏面から投影する透過型スクリーンである。このスクリーン５は、スクリーン本体５１と、このスクリーン本体５１の前面側が露出した状態でスクリーン本体５１を収納するスクリーンカバー５２とを備える。
ここで、図１に示すように、上部キャビネット２３の左右側には、それぞれスピーカボックス７が取り付けられており、上部キャビネット２３とは別体として構成されている。このスピーカボックス７は、高中音領域の音声を出力するスピーカとして機能する箱型のものである。これらのスピーカボックス７の前面とスクリーン５の前面とは略面一に形成され、これらの面は鉛直方向に略平行となっている。
【００２１】
〔２．光学ユニットの構成〕
図２は、光学ユニット４を模式的に示した平面図である。
光学ユニット４は、図２に示すように、光源装置を構成する光源ランプから射出された光を光学的に処理して画像情報に対応した光学像を形成し、この光学像を拡大して投写するユニットであり、インテグレータ照明光学系４１と、色分離光学系４２と、リレー光学系４３と、光学装置４４と、直角プリズム４５と、投写レンズ４６とを備える。
【００２２】
インテグレータ照明光学系４１は、光学装置４４を構成する後述する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備えている。
【００２３】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
第１レンズアレイ４１２は、光軸方向から見てほぼ矩形状の輪郭を有する小レンズがマトリクス状に配列された構成を有している。各小レンズは、光源ランプ４１６から射出される光を、複数の部分光に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する液晶パネル４４１上に結像させる機能を有する。
【００２４】
偏光変換素子４１４は、第２レンズアレイ４１３と重畳レンズ４１５との間に配置されるとともに、第２レンズアレイ４１３と一体でユニット化されている。このような偏光変換素子４１４は、第２レンズアレイ４１３からの光を１種類の偏光に変換するものであり、これにより、光学装置４４での光の利用効率が高められている。
具体的には、偏光変換素子４１４によって１種類の偏光に変換された各部分光は、重畳レンズ４１５によって最終的に光学装置４４の後述する液晶パネル４４１上にほぼ重畳される。偏光を変調するタイプの液晶パネルを用いたリアプロジェクタでは、１種類の偏光しか利用できないため、他種類のランダムな偏光を発する光源ランプ４１６からの光のほぼ半分が利用されない。このため、偏光変換素子４１４を用いることにより、光源ランプ４１６から射出された光を略１種類の偏光に変換し、光学装置４４での光の利用効率を高めている。
【００２５】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００２６】
この際、色分離光学系４２のダイクロイックミラー４２１では、インテグレータ照明光学系４１から射出された光の赤色光成分と緑色光成分とが透過するとともに、青色光成分が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光をその中心軸（主光線）に対して平行な光に変換する。他の液晶パネル４４１Ｇ、４４１Ｂの光入射側に設けられたフィールドレンズ４１８も同様である。
【００２７】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路長が他の色光の光路長よりも長いため、光の発散等による光の利用効率の低下を防止するためである。すなわち、入射側レンズ４３１に入射した部分光をそのまま、フィールドレンズ４１８に伝えるためである。
【００２８】
光学装置４４は、入射された光を画像情報に応じて変調してカラー画像を形成するものであり、色分離光学系４２で分離された各色光が入射される３つの入射側偏光板４４２と、各入射側偏光板４４２の後段に配置される液晶パネル４４１Ｒ，４４１Ｇ，４４１Ｂと、各液晶パネル４４１の後段に配置される射出側偏光板４４３と、色合成光学系としてのクロスダイクロイックプリズム４４４とを備える。
光学装置４４において、色分離光学系４２で分離された各色光は、各液晶パネル４４１、入射側偏光板４４２、および射出側偏光板４４３によって、画像情報に応じて変調された光学像を形成する。
【００２９】
入射側偏光板４４２は、色分離光学系４２で分離された各色光のうち、一定方向の偏光のみ透過させ、その他の光を吸収するものであり、サファイヤガラス等の基板に偏光膜が貼付されたものである。
射出側偏光板４４３も、入射側偏光板４４２と略同様に構成され、各液晶パネル４４１から射出された光のうち、所定方向の偏光のみ透過させ、その他の光を吸収するものである。
これらの入射側偏光板４４２および射出側偏光板４４３は、互いの偏光軸の方向が直交するように設定されている。
【００３０】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００３１】
直角プリズム４５は、光学装置４４のクロスダイクロイックプリズム４４４における光射出側に配置され、このクロスダイクロイックプリズム４４４で合成されたカラー画像を投写レンズ４６の方向、すなわち前方向に射出されたカラー画像を上方向へと折り曲げて反射するものである。
投写レンズ４６は、直角プリズム４５で反射されたカラー画像を拡大して、図示しない反射ミラーに投写するものである。反射ミラーにより反射されたカラー画像は、スクリーン５の裏面から投影される。
【００３２】
〔３．ウーハーボックスの構造〕
図３は、ウーハーボックス６Ｒ，６Ｌの断面構造を示す模式図である。
ウーハーボックス６Ｒ，６Ｌは、重低音領域の音声を出力するものであり、図３に示すように、音声情報を音声に変換して出力するスピーカ６１と、スピーカ６１が前面部（図３中右側）に取り付けられたエンクロージャ６２とを備える。
エンクロージャ６２は、図３に示すように、箱状に形成され、前面部を有するエンクロージャ本体６３と、エンクロージャ本体６３の前面部に対向する背面部を有し、エンクロージャ本体６３に摺動自在に収納される容積拡大手段としての拡張エンクロージャ６４とを備えている。
【００３３】
ここで、図３（Ａ）は、拡張エンクロージャ６４を、エンクロージャ本体６３に収納した状態を示す図であり、図３（Ｂ）は、拡張エンクロージャ６４を、エンクロージャ本体６３から引き出した状態を示す図である。
エンクロージャ本体６３は、背面部が開口され、拡張エンクロージャ６４を収納するものであり、突起部６３１、及び突起部６３２が設けられている。
突起部６３１は、エンクロージャ本体６３の上面部、及び下面部の前面部近傍位置にそれぞれ内側に向けて突出して設けられる。また、底面部の突起部６３１には、図３（Ｂ）に示すように、押込みスイッチ６５が取り付けられている。押込みスイッチ６５は、拡張エンクロージャ６４の収納状態を検出するものであり、バネ構造によりエンクロージャ本体６３の背面方向に突出している。なお、押込みスイッチ６５は、押込まれた状態をオフ、開放された状態をオンとしている。
突起部６３２は、エンクロージャ本体６３の上面部、及び下面部の背面部位置に内側に向けて突出して設けられる。
【００３４】
拡張エンクロージャ６４は、前面部が開口され、エンクロージャ６２の容積を拡大するものであり、突起部６３２間の寸法と略同じ寸法の高さを有している。拡張エンクロージャ６４の上面部、及び下面部の前面部位置には、突起部６３２と同寸の突起部６４１が内側に向けて突出して設けられる。
すなわち、拡張エンクロージャ６４は、各突起部６３２、及び各突起部６４１により支持され、エンクロージャ本体６３に摺動自在に収納されている。
そして、図３（Ａ）に示すように、拡張エンクロージャ６４を、エンクロージャ本体６３に収納する際には、拡張エンクロージャ６４の背面部を押込むことにより、拡張エンクロージャ６４がエンクロージャ本体６３内に摺動される。そして、エンクロージャ本体６３と、拡張エンクロージャ６４とは、各突起部６３１と、各突起部６４１とにより所定位置で係止され、エンクロージャ６２の容積は最小の状態となる。なお、このとき、押込みスイッチ６５は、突起部６４１により押込まれ、オフとなっている。
【００３５】
また、図３（Ｂ）に示すように、拡張エンクロージャ６４を、エンクロージャ本体６３から引き出す際には、拡張エンクロージャ６４の背面部を、エンクロージャ本体６３の前面部から遠ざけるように引き出すことにより、拡張エンクロージャ６４がエンクロージャ本体６３外に摺動される。そして、エンクロージャ本体６３と、拡張エンクロージャ６４とは、各突起部６３２と、各突起部６４１とにより所定位置で係止され、エンクロージャ６２の容積は最大の状態となる。なお、このとき、押込みスイッチ６５は、突起部６４１が離間することにより開放され、図示しないバネ構造により突出してオンとなっている。
以上のようにして、エンクロージャ６２は、その容積を拡大することができる。
【００３６】
ここで、エンクロージャ６２の容積が拡大、縮小することにより、出力周波数特性が変化する。
図４は、縦軸に相対レベル（ｄＢ）、横軸に周波数（Ｈｚ）をとり、エンクロージャ６２の容積が最大となったとき、及び最小となったときの出力周波数特性を周波数方向に片対数表示したグラフである。なお、エンクロージャ６２の容積が最大となったときの出力周波数特性をＡ、エンクロージャ６２の容積が最小となったときの出力周波数特性をＢとしている。
具体的には、エンクロージャ６２の容積が最大となったときの出力周波数特性Ａは、図４に示すように、低周波、例えば、１０Ｈｚ付近においても相対レベルが−２０ｄＢ程度となり、エンクロージャ６２の容積が最小となったときの出力周波数特性Ｂと比較して低周波側の相対レベルが大きくなっており、重低音領域の音声出力性能を向上されている。
【００３７】
〔４．音声処理ユニットの構成〕
図５は、音声処理ユニット３１の機能ブロック図である。
音声処理ユニット３１は、音声情報の処理を行うものであり、図５に示すように、スイッチ状態検出回路３２と、音声処理回路３３と、制御装置３４とを備える。
スイッチ状態検出回路３２は、押込みスイッチ６５のオン、オフの各状態を検出する回路であり、検出した各状態を制御装置３４が読取可能な信号に変換して出力する。
【００３８】
音声処理回路３３は、入力される音声情報に対して音質調整を行い、スピーカ６１に音質調整された音声情報を出力するものであり、ＤＳＰを中心に構成されている。
音声処理回路３３を構成するＤＳＰは、例えば、入力される音声情報に対してフィルタリング処理を行い、重低音領域の音声を強調する等の音質調整処理を行うことができる。本実施形態では、エンクロージャ６２の容積が拡大、縮小することにより変化する出力周波数特性に応じて音質調整の設定を変更する方法について、重低音領域の音声を強調する音質調整を例に説明する。
【００３９】
ここで、本実施形態では、音質調整の設定は、フィルタリング処理を行うフィルタのパラメータを設定することにより行う。
図６は、縦軸に相対レベル（ｄＢ）、横軸に周波数（Ｈｚ）をとり、パラメータＣ、及びパラメータＤを設定することにより特定されるフィルタの出力周波数特性を周波数方向に片対数表示したグラフである。なお、パラメータＣにより特定されるフィルタの出力周波数特性をＣ、パラメータＤにより特定されるフィルタの出力周波数特性をＤとしている。また、エンクロージャ６２の容積が最大となったときの出力周波数特性Ａ、及びエンクロージャ６２の容積が最小となったときの出力周波数特性Ｂを、フィルタの出力周波数特性Ｃ，Ｄとの比較のため破線で表示している。
【００４０】
具体的には、音質調整の設定は、エンクロージャ６２の容積が最大となったときには、フィルタリング処理を行うフィルタのパラメータとしてＤＳＰにパラメータＣを設定し、エンクロージャ６２の容積が最小となったときには、パラメータＤを設定する。
すなわち、図６に示すように、エンクロージャ６２の容積が最大となったときには、出力周波数特性Ａに示すように、重低音領域の音声出力性能を向上されているので、パラメータＣにより特定されるフィルタを使用することにより、６０Ｈｚ付近の低周波領域まで強調することができる。
一方、図６に示すように、エンクロージャ６２の容積が最小となったときには、出力周波数特性Ｂに示すように、重低音領域の音声出力性能を向上されていないので、パラメータＤにより特定されるフィルタを使用することにより、４００Ｈｚ付近の低周波領域までしか強調することができない。
【００４１】
制御装置３４は、音声処理ユニット３１全体を制御するものであり、スイッチ状態監視部３４１と、パラメータ設定部３４２と、音声制御部３４３とを備える。
スイッチ状態監視部３４１は、スイッチ状態検出回路３２から出力される信号を受信して押込みスイッチ６５のオン、オフの各状態を監視し、オフからオンへの切り替え、またはオンからオフへの切り替えを検出する。
パラメータ設定部３４２は、スイッチ状態監視部３４１により押込みスイッチ６５のオン、オフの各状態の切り替えが検出されたときに、検出結果に応じてパラメータＣ、またはパラメータＤを音声処理回路３３に設定する。
音声制御部３４３は、音声処理回路３３を制御するものであり、スピーカ６１に出力される音声情報を停止、または再開させる。
【００４２】
次に、パラメータ変更処理について、図７のフローチャートを参照して説明する。
なお、ウーハーボックス６Ｒ，６Ｌからは、入力される音声情報に応じて音声が出力されているものとする。
まず、パラメータ変更処理が開始されると、スイッチ状態監視部３４１は、押込みスイッチ６５のオン、オフの各状態を監視し、オフからオンへの切り替え、またはオンからオフへの切り替えを検出する（ＳＴ１）。
スイッチ状態監視部３４１により押込みスイッチ６５のオン、オフの各状態の切り替えが検出されると、音声制御部３４３は、音声処理回路３３を制御してスピーカ６１に出力される音声情報を停止させる（ＳＴ２）。
【００４３】
スピーカ６１に出力される音声情報が停止されると、パラメータ設定部３４２は、スイッチ状態監視部３４１の検出結果に応じてパラメータＣ、またはパラメータＤを音声処理回路３３に設定する（ＳＴ３）。
すなわち、スイッチ状態監視部３４１により、押込みスイッチ６５のオフからオンへの切り替えが検出された場合には、エンクロージャ６２の容積が最大となっているので、パラメータＣを音声処理回路３３に設定する。
一方、スイッチ状態監視部３４１により、押込みスイッチ６５のオンからオフへの切り替えが検出された場合には、エンクロージャ６２の容積が最小となっているので、パラメータＤを音声処理回路３３に設定する。
【００４４】
パラメータ設定部３４２により音声処理回路３３にパラメータが設定されると、音声制御部３４３は、音声処理回路３３を制御してスピーカ６１に出力される音声情報を再開させる（ＳＴ４）。
以上のように、パラメータ変更処理を行うことにより、音質調整の設定を変更することができる。
【００４５】
［実施形態の効果］
本実施形態に係るリアプロジェクタ１によれば、次のような効果がある。
（１）エンクロージャ６２は、拡張エンクロージャ６４の背面部を、エンクロージャ本体６３の前面部から遠ざけるように引き出すことにより、その容積を拡大することができるので、重低音領域の音声出力性能を向上させることができる。
（２）押込みスイッチ６５は、エンクロージャ６２の容積が拡大されたことを検出することができ、パラメータ設定部３４２は、押込みスイッチ６５によりエンクロージャ６２の容積が拡大されたことを検出したときに、拡大されたエンクロージャ６２の容積に応じてパラメータの設定を変更するので、向上された重低音領域の音声出力性能を十分に発揮して豊かで迫力のある重低音領域の音声出力をすることができる。
【００４６】
（３）他の筐体などを使用することなくエンクロージャ６２の容積を拡大することができるので、音響装置の構成を簡素化することができる。
（４）薄型のリアプロジェクタ１であってもエンクロージャ６２の容積を拡大することにより重低音領域の音声出力性能を向上させることができ、向上された重低音領域の音声出力性能を十分に発揮して豊かで迫力のある重低音領域の音声出力をすることができる。
【００４７】
［第２実施形態］
本発明の第２実施形態に係るリアプロジェクタ１Ａについて説明する。
なお、以下の説明では、既に説明した部分については、同一符号を付してその説明を省略する。
前記第１実施形態に係るリアプロジェクタ１では、容積拡大手段として、拡張エンクロージャ６４を採用していた。
これに対して、本実施形態に係るリアプロジェクタ１Ａでは、図８に示すように、容積拡大手段として、支持筐体８Ａを採用している点で異なる。
【００４８】
図８は、ウーハーボックス６ＡＲ，６ＡＬ、及び支持筐体８Ａの断面構造を示す概略模式図である。なお、図８において、下部キャビネット２１（図１）の図示は省略する。
ウーハーボックス６ＡＲ，６ＡＬは、図８に示すように、スピーカ６１と、スピーカ６１が前面部（図３中右側）に取り付けられたエンクロージャ６２Ａとを備える。
エンクロージャ６２Ａは、図８（Ａ）に示すように、底面部に矩形形状の開口部６６Ａを有する箱状に形成されるとともに、開口部６６Ａには、蓋部材６７が取り付けられ、ねじ（図示省略）により固定されている。また、開口部６６Ａには、図８（Ｂ）に示すように、蓋部材６７と当接する部分に、押込みスイッチ６５がエンクロージャ６２Ａの外側方向に突出して取り付けられている。
【００４９】
支持筐体８Ａは、リアプロジェクタ１Ａを底面から支持するものであり、上面部にエンクロージャ６２Ａの開口部６６Ａと対応する位置に矩形形状の開口部８１Ａを有する箱状に形成され、内部に空洞８２を有している。
なお、本実施形態では、音響装置は、ウーハーボックス６ＡＲ，６ＡＬ、支持筐体８Ａ、及び音声処理ユニット３１により構成されている。
【００５０】
ここで、図８（Ａ）は、蓋部材６７を開口部６６Ａに取り付けた状態を示す図であり、図８（Ｂ）は、蓋部材６７を開口部６６Ａから取り外した状態を示す図である。
すなわち、図８（Ａ）に示すように、蓋部材６７を開口部６６Ａに取り付けた状態においては、蓋部材６７により開口部６６Ａが閉塞するのでエンクロージャ６２Ａの容積は最小の状態となる。また、支持筐体８Ａは、リアプロジェクタ１Ａを底面から支持するのみである。なお、このとき、押込みスイッチ６５は、蓋部材６７により押込まれ、オフとなっている。
【００５１】
また、図８（Ｂ）に示すように、蓋部材６７を開口部６６Ａから取り外した状態においては、支持筐体８Ａは、リアプロジェクタ１Ａを底面から支持するとともに、開口部８１Ａと、開口部６６Ａとが連結する。したがって、エンクロージャ６２Ａの内部と、空洞８２とが一体化され、エンクロージャ６２Ａの容積は最大の状態となる。なお、このとき、押込みスイッチ６５は、蓋部材６７が取り外されることにより開放され、図示しないバネ構造により突出してオンとなっている。
以上のようにして、エンクロージャ６２Ａは、その容積を拡大することができる。
【００５２】
このような本実施形態においても、前記第１実施形態の（１）、（２）、及び（４）と同様の作用、効果を得ることができる他、以下の作用、効果を奏することができる。
すなわち、支持筐体８Ａによりエンクロージャ６２Ａの容積を拡大しているので、エンクロージャ６２Ａに複雑な構造を設ける必要がなく、さらに、支持筐体８Ａは、エンクロージャ６２Ａと別体であるので、音響装置の設計自由度を高くすることができる。
【００５３】
［第３実施形態］
本発明の第３実施形態に係るリアプロジェクタ１Ｂについて説明する。
前記第２実施形態に係るリアプロジェクタ１Ａでは、エンクロージャ６２Ａの底面部に形成された開口部６６Ａ、及び支持筐体８Ａの上面部に形成された開口部８１Ａを連結してエンクロージャ６２Ａの容積を拡大している。
これに対して、本実施形態に係るリアプロジェクタ１Ｂでは、図９、及び図１０に示すように、エンクロージャ６２Ｂの背面部に形成された開口部６６Ｂ、及び支持筐体８Ｂの背面部に形成された開口部８１Ｂを、連結部材９により連結してエンクロージャ６２Ｂの容積を拡大している点で異なる。
【００５４】
図９は、リアプロジェクタ１Ｂを上方背面側から見た概略模式図である。図１０は、リアプロジェクタ１Ｂを側面側から見た概略模式図である。
リアプロジェクタ１Ｂは、図９、及び図１０に示すように、ウーハーボックス６ＢＲ，６ＢＬを備える。
ウーハーボックス６ＢＲ，６ＢＬは、図１０に示すように、スピーカ６１と、スピーカ６１が前面部（図３中右側）に取り付けられたエンクロージャ６２Ｂとを備える。
エンクロージャ６２Ｂは、背面部に矩形形状の開口部６６Ｂを有する箱状に形成される。なお、開口部６６Ｂを閉塞してエンクロージャ６２Ｂの容積を最小の状態とする場合には、前記第２実施形態と同様に、開口部６６Ｂに蓋部材６７（図示省略）を取り付け、ねじ（図示省略）により固定する。また、開口部６６Ｂには、前記第２実施形態と同様に蓋部材６７と当接する部分に、押込みスイッチ６５（図示省略）がエンクロージャ６２Ｂの外側方向に突出して取り付けられている。
【００５５】
支持筐体８Ｂは、リアプロジェクタ１Ｂを底面から支持するものであり、背面部に矩形形状の開口部８１Ｂを有する箱状に形成され、内部に空洞８２を有している。
連結部材９は、開口部６６Ｂと、開口部８１Ｂとを連結する部材であり、各開口部と対向する位置にそれぞれ矩形形状の開口部９１を有する箱状に形成され、内部に空洞９２を有している。
なお、本実施形態では、音響装置は、ウーハーボックス６ＢＲ，６ＢＬ、支持筐体８Ｂ、連結部材９、及び音声処理ユニット３１により構成されている。
【００５６】
すなわち、図９、及び図１０に示すように、連結部材９を、リアプロジェクタ１Ｂの背面部に取り付けることにより、エンクロージャ６２Ｂの内部と、空洞８２と、空洞９２とが一体化され、エンクロージャ６２Ｂの容積は最大の状態となる。
以上のようにして、エンクロージャ６２Ｂは、その容積を拡大することができる。
【００５７】
このような本実施形態においても、前記第１実施形態の（１）、（２）、及び（４）と同様の作用、効果を得ることができる他、以下の作用、効果を奏することができる。
すなわち、重低音領域の音声出力性能を向上させる場合にのみ連結部材９を使用すればよく、さらに、開口部６６Ｂ、及び開口部８１Ｂは、エンクロージャ６２Ｂ、及び支持筐体８Ｂの背面部に形成されているので、リアプロジェクタ１Ｂの設置後においてもエンクロージャ６２Ｂ、及び支持筐体８Ｂを動かすことなく簡単に連結部材９を取り付けることができる。
【００５８】
［実施形態の変形］
なお、本発明は前記実施形態に限定されるものではなく、本発明の目的を達成できる範囲での変形、改良等は本発明に含まれるものである。
例えば、前記各実施形態では、音響装置は、リアプロジェクタ１，１Ａ，１Ｂに実装されていたが、音響装置単体であってもよい。
また、前記各実施形態では、画像表示装置は、リアプロジェクタ１，１Ａ，１Ｂであったが、液晶テレビジョンなどであってもよく、要するに、音響装置を備えた画像表示装置であればよい。
また、前記各実施形態では、音響装置は、重低音領域の音声を出力するスピーカとして機能するウーハーボックス６を備えて構成されていたが、高中音領域、及び重低音領域の音声を出力するフルレンジスピーカを備えて構成されていてもよく、要するに、重低音領域の音声を出力するスピーカとして機能するスピーカボックスであればよい。
【００５９】
また、前記各実施形態では、拡張エンクロージャ６４、または支持筐体８Ａ，８Ｂによりエンクロージャの容積を拡大していたが、他の方法によりエンクロージャの容積を拡大してもよい。
また、前記各実施形態では、フィルタリング処理を行うフィルタのパラメータを設定することにより音質調整の設定を行っていたが、例えば、周波数特性の異なるアナログアンプを切り替えて使用することにより音質調整の設定を行ってもよく、要するに、拡大されたエンクロージャの容積に応じて音質調整の設定を変更することができればよい。
【００６０】
また、前記各実施形態では、容積拡大検出手段として、押込みスイッチ６５を採用していたが、例えば、近接スイッチなどを採用してもよく、要するに、エンクロージャの容積が拡大されたことを検出することができればよい。
また、前記各実施形態では、音質調整の設定を変更した際に、音声制御部３４３は、スピーカ６１に出力される音声情報を停止させていたが、停止させなくてもよい。ただし、音質調整の設定を変更するとスピーカから出力される音声情報が変化して視聴者が不快に感じることがあるので停止させることが好ましい。
【図面の簡単な説明】
【００６１】
【図１】第１実施形態に係るリアプロジェクタを前方から見た斜視図である。
【図２】光学ユニットを模式的に示した平面図である。
【図３】ウーハーボックスの断面構造を示す模式図である。
【図４】エンクロージャの出力周波数特性を示すグラフである。
【図５】音声処理ユニットの機能ブロック図である。
【図６】フィルタの出力周波数特性を示すグラフである。
【図７】パラメータ変更処理のフローチャートである。
【図８】第２実施形態に係るウーハーボックス、及び支持筐体の断面構造を示す概略模式図である。
【図９】第３実施形態に係るリアプロジェクタを上方背面側から見た概略模式図である。
【図１０】同リアプロジェクタを側面側から見た概略模式図である。
【符号の説明】
【００６２】
１…リアプロジェクタ、１Ａ…リアプロジェクタ、１Ｂ…リアプロジェクタ、３…内部ユニット、４…光学ユニット、８Ａ…支持筐体、８Ｂ…支持筐体、９…連結部材、３１…音声処理ユニット、３２…スイッチ状態検出回路、３３…音声処理回路、３４…制御装置、６１…スピーカ、６２…エンクロージャ、６２Ａ…エンクロージャ、６２Ｂ…エンクロージャ、６３…エンクロージャ本体、６４…拡張エンクロージャ、６５…押込みスイッチ、８１Ａ…開口部。
【図１】
2008109460.tif 000003
【図２】
2008109460.tif 000004
【図３】
2008109460.tif 000005
【図４】
2008109460.tif 000006
【図５】
2008109460.tif 000007
【図６】
2008109460.tif 000008
【図７】
2008109460.tif 000009
【図８】
2008109460.tif 000010
【図９】
2008109460.tif 000011
【図１０】
2008109460.tif 000012